(57)【特許請求の範囲】
【請求項１】
（ｉ）精油所供給原料の試料の集合体を供給する工程であって、前記試料の集合体は少なくとも複数の種々異なる精油所供給原料からなる工程と；
（ｉｉ）前記試料の集合体における前記精油所供給原料のそれぞれを分画する工程であって、種々異なる化学および／または物理特性を有する複数のフラクションからなる更なる試料の集合体を生成させ、各フラクションは精油所に存在しうるプロセス流を表し、各精油所供給原料の前記分画は他の各精油所供給原料の前記分画と並行して実施され、また前記分画工程は、精油所プロセスにて生じうる同等なプロセスを表す物理的もしくは化学的処理方法を用いて各供給原料またはその一部を処理するステップを含み、前記物理的もしくは化学的処理方法は、ミクロ蒸留カラムまたはミクロフラクショネータを用いて規定の沸点範囲を有するフラクションを得るステップを含んでなる工程と；
（ｉｉｉ）前記複数のフラクションのそれぞれを分析する工程であって、各フラクションの１つもしくはそれ以上の化学および／または物理特性を決定し、前記各フラクションの１つもしくはそれ以上の化学および／または物理特性の分析を、他の各フラクションの１つもしくはそれ以上の化学および／または物理特性の分析と少なくとも部分的に並行して行ってなる工程と
を含むことを特徴とする複数の精油所供給原料を評価する方法。
【請求項２】
前記分画工程（ｉｉ）を１週間当たり少なくとも５０個の精油所供給原料の処理量にて行う請求項１に記載の方法。
【請求項３】
工程（ｉｉｉ）にて、各フラクションの第１特性についての分析を他の各フラクションの第１特性についての分析と並行して行い、次いで各フラクションの第２特性についての分析を他の各フラクションの第２特性についての分析と並行して行う請求項１または２に記載の方法。
【請求項４】
工程（ｉｉｉ）にて、各フラクションの全分析を他の各フラクションの全分析と並行して行う請求項１または２に記載の方法。
【請求項５】
前記精油所供給原料が原油、合成原油、バイオ成分、中間流、並びに前記各成分の１種もしくはそれ以上のブレンドから選択される請求項１〜４のいずれか一項に記載の方法。
【請求項６】
前記分画工程（ｉｉ）が、前記精油所供給原料を１つもしくはそれ以上の他の精油所供給原料と配合するステップを含む請求項１〜５のいずれか一項に記載の方法。
【請求項７】
工程（ｉｉ）で生成される複数のフラクションが少なくとも７種のフラクションからなる請求項１〜６のいずれか一項に記載の方法。
【請求項８】
工程（ｉｉｉ）にて分析されるフラクションの化学および／または物理特性が密度、比重、全酸価、全塩基価、低温流動特性、粘度、炭化水素スペシエーション、硫黄含有量、硫黄化合物スペシエーション、窒素含有量、ニッケル含有量、バナジウム含有量、酸スペシエーション、アスファルト含有量、炭素含有量、金属含有量、ミクロ炭素残留物量、塩化物含有量およびその組合せから選択される請求項１〜７のいずれか一項に記載の方法。
【請求項９】
工程（ｉｉ）および（ｉｉｉ）を反復する請求項１〜８のいずれか一項に記載の方法。
【請求項１０】
請求項１〜９のいずれか一項に記載の方法を連続して行う方法。
【請求項１１】
プロセスを各フラクションの種々異なる物理および／または化学特性の分析のために反復する請求項１〜１０のいずれか一項に記載の方法。
【請求項１２】
プロセス流の評価を結合して、精油所供給原料を２つもしくは以上の複数の異なるプロセス流の分析により評価する請求項１〜１１のいずれか一項に記載の方法。
【請求項１３】
少なくとも５つのプロセス流を結合して評価し、特定の供給原料につき最適な精油所配置の情報を与える請求項１２に記載の方法。
【発明の詳細な説明】
【発明の詳細な説明】
【０００１】
本発明は、精油所供給原料および他の多成分流体を高処理実験の使用により評価する方法に関するものである。
【０００２】
組合せ化学または高処理化学は、薬物発見の方法を開発した［たとえば２９Ａｃｃ．ケミカル・リサーチ、１−１７０頁（１９９６）；９７ケミカル・レビュー、３４９−５０９頁（１９９７）；Ｓ．ボーマン、ケミカル・エンジニアリング・ニュース、４３−６２頁（１９９７年２月２４日）；Ａ．Ｍ．セイヤー、ケミカル・エンジニアリング・ニュース、５７−６４頁（１９９６年２月１２日）；Ｎ．テレット、１ドラッグ・ディスカバリー・ツデー、４０２頁（１９９６）参照］。近年、多くの高処理実験技術が開発されて、有用な性質につき触媒材料および他の材料を合成および試験する能力の顕著な増進を可能にした。一般に、この種の技術は、実験を設計すると共に触媒および材料製造および試験を自動化させるロボットおよびコンピュータの使用増加を含め装置および方法論の開発に集中し、迅速且つ再現可能な試験結果を比較的小規模の試料につき達成しうるようにした。たとえば多くの努力が多くの種類の材料および材料特性（たとえば米国特許第５，７７６，３５９号明細書に記載）につき並びに興味ある化学反応（たとえば米国特許第５，９５９，２９７号明細書、米国特許第６，０６３，６３３号明細書および米国特許第６，３０６，６５８号明細書に記載）につき製作および試験装置の開発に払われている。
【０００３】
更に、高処理技術が、たとえばクロマトグラフィー（たとえば米国特許第６，８６６，７８６号明細書に記載）のような分離技術を含め多くの異なる分析技術に適用されている。更に各部品のコストが、ライブラリーもしくはアレイ（ａｒｒａｙ）（たとえば米国特許第６，４２１，６１２号明細書に記載）の設計にて因子として用いられている。
【０００４】
高処理技術は一般に現存プロセスに対する新たな触媒および材料の発見に集中している。今回、精油所プロセスのスクリーニングおよび最適化に適用しうる高処理方法論を開発した。
【０００５】
未配合の原油は各種の純粋でない炭化水素不純物または「スペシース（ｓｐｅｃｉｅｓ）」、たとえば酸、硫黄化合物および窒素化合物を含有する。種々異なるスペシースは、精油所にて広範囲の異なる問題を引き起こす。実質的に全ての近代的精油所は純粋原油でなく種々異なる原油のブレンドである供給原料を使用するので、原油におけるスペシースの変化の作用は予測および管理が困難である。これは、供給原料を配合すれば特定スペシースが異なるフラクション（すなわち格別の沸点範囲を有する供給原料の特定「カット」）に移行することがあるからである。種々のスペシースの分布を理解すれば、精油所に関する極めて有用な操作情報が得られる。しかしながら、この種の情報（一般に「スペシエーション」として知られる）は、伝統的方法により得ることが極めて困難かつ時間の無駄であり、従って実際には分析は未配合原油の分析に制限される傾向がある。このデータから特定供給原料を使用する結果を予測するため努力がなされる。しかしながら、この種の予測は限定された品質に不可欠である。
【０００６】
今回、多量のスペシエーションデータが短時間で得られると共に取り扱われて、精油所条件のずっと良好な制御を可能にする方法が見出された。
【０００７】
伝統的に原油は蒸留により分画されており、特定のスペシースが個々のフラクションおよび全体的原油の両者にて分析されている。得られる測定値は、測定されるスペシースの全量を推定させる；たとえば酸スペシースにつき、全酸度の測定値が得られる。所望ならば、次いで更なる測定を１つもしくはそれ以上のサブフラクションにつき行うことができる。しかしながら、伝統的測定は長時間を要し、複雑な装置を使用する。本発明は、複数のフラクションもしくはサブフラクションにつき分析を行うことを可能にする。典型的には全ての適切なフラクションもしくはサブフラクションにつき可能にする。
【０００８】
従って本発明の第一面によれば精油所供給原料の評価方法が提供され、前記方法は：
（ｉ）精油所供給原料を供給し；
（ｉｉ）前記精油所供給原料を処理して種々異なる化学および／または物理特性を有する複数のフラクションからなるアレイを生成させ（各フラクションは精油所に存在しうるプロセス流の代表である）；
（ｉｉｉ）前記複数のフラクションのそれぞれを分析して各フラクションの１つもしくはそれ以上の化学および物理特性を決定し、前記分析を少なくとも部分的に並列で行う
ことを特徴とする。
【０００９】
本発明の好適実施態様においては複数の精油所供給原料を評価し、それぞれを各フラクションの分析に先立ち分画する。すなわち本発明の好適実施態様は複数の精油所供給原料を評価する方法であって前記方法は：
（ｉ）精油所供給原料のアレイを供給し、ここで前記アレイは少なくとも複数の異なる精油所供給原料からなり；
（ｉｉ）前記アレイにおける前記精油所供給原料のそれぞれを分画して、種々異なる化学および／または物理特性を有する複数のフラクションからなる更なるアレイを生成させ（各フラクションは精油所に存在しうるプロセス流の代表である）；
（ｉｉｉ）前記複数のフラクションのそれぞれを分析して各フラクションの１つもしくはそれ以上の化学および／または物理特性を決定し、前記分析を少なくとも部分的に並列で行う
ことを特徴とする評価方法である。
【００１０】
好ましくは、分画工程（ｉｉ）は並列にて或いは迅速な直列方式にて１週間当たり少なくとも５０個（たとえば、少なくとも２５０個、好ましくは少なくとも２０００個）の精油所供給原料の処理量にて行われる。この分画は、１分画当たり少なくとも２つ、たとえば少なくとも７つもしくは８つのフラクションをもたらす。
【００１１】
ここで使用したアレイとは、互いに幾つかの関係を有する各試料の集合体を意味する。たとえば、この関係は異なる硫黄含有量もしくは異なるオレフィン含有量を有する原油の選択とすることができ、或いは特定供給原料から得られる一連のフラクションとすることもできる。アレイは、たとえばそのアレイの各メンバーが存在する一連の領域を持った基質の形態で存在することができる。基質とは、硬質もしくは半硬質の表面を有する物質を意味する：多くの具体例において、基質の少なくとも１つの表面は実質的に扁平であって、種々異なる材料につき所望数の物理的個々の領域を有する。たとえば窪み、穴部、持上がり領域、腐食トレンチなどを有する各基質の例はミクロタイタープレートまたはガラスバイアルライニングされたミクロタイタープレートを包含する。幾つかの具体例において基質自身は穴部、持上がり領域、腐食トレンチなどを有し、これらの形態は各領域の全部または１部を形成する。
【００１２】
本発明の方法は、高処理実験技術を用いて行われる。分析は複数のフラクションもしくはサブフラクション、典型的には全ての該当するフラクションもしくはサブフラクションにつき行われる。典型的には、多数の試料を含有する複数の穴部（たとえば９６種の試料を含有する８ｘ１２個のアレイ）をマルチプレート上に設ける。これら試料のそれぞれは同一でも異なってもよい。所望に応じ、更なる分画を行うことができる。次いで各フラクションもしくはサブフラクションをたとえば分子の寸法および種類につき分析する。次いでデータをデータセット（たとえば分子形／分子寸法／アバンダンスの三次元データセット）に変換することができ、またデータマップを発生させることもできる。これらマップの使用は種々異なる供給原料を比較すると共に、精油所条件を最適化することができる。この種のマッピングは、精油所供給原料につき従来は決して行われなかった。作用上正確かつ迅速なデータ測定が衝撃に対し情報を与えるべく拘束されつつある際、特定の供給原料が精油所の操作に対し有する。
【００１３】
精油所供給原料は原油、合成原油、バイオ成分、中間流、たとえば残油、ガス油、減圧ガス油、ナフサもしくは熱分解原料、および前記各成分の１つもしくはそれ以上のブレンドなどを包含する任意適する精油所供給原料とすることができる（たとえば１種もしくはそれ以上の原油のブレンドまたは１種もしくはそれ以上の原油と１種もしくはそれ以上の合成原油とのブレンド）。
【００１４】
典型的精油所においては多くの異なる精油所供給原料を処理し、たとえば多くの種々異なる原油を処理する。供給原料の価値は蒸留フラクションの収率、組成および性質に依存し、これはその後の精油所プロセス流および生成物ブレンド成分につき所定の精油所にて生成する。更に精油所供給原料は一般に入手しうる供給物のブレンドであり、従って詳細な生成物品質および収率を含め全精油所プロセスにおける供給原料の価値を予測するのは極めて困難である。典型的には多くの推定が従前の操作経験に基づいてなされるが、これらは一般に大凡の推定のみを与えることができる。従って相乗的、拮抗的および／または非直線的な精油所供給原料を配合する作用（殆どモデル化に成功することは不可能である）が存在する。
【００１５】
本発明はその使用前およびその購入の前でさえ、精油所供給原料の潜在的価値を評価しうる精油所供給原料の評価方法を提供する。この評価の１部として、本発明は、精油所供給原料と１種もしくはそれ以上の他の精油所供給原料との精油所プロセスにおける配合により得られる相乗的、拮抗的および／または非直線的な作用の評価方法を提供することができる。精油所供給原料は典型的には精油所にて入手しうる上記したような２種もしくはそれ以上の精油所供給原料のブレンドであるので、配合の効果はモデル化するのが困難であり、これは異なる比率で配合する効果を評価することを可能にする。
【００１６】
更に本発明は全体的精油所プロセスを精油所供給原料につき最適化することを可能にし、これは種々のプロセスパラメータの最適化を包含し、１つより多い選択が可能である場合は供給原料を処理すべき最も適切な精油所の選択を可能にさえする。
【００１７】
本発明の方法は、たとえばハンドブック・オブ・ペトリアム・リファイニング・プロセシス（第２版）ロバート・Ａ．マイヤース編集およびマックグロー−ヒル出版のような任意適する精油所プロセス流に適用することができる。
【００１８】
本発明の工程（ｉｉ）においては、精油所供給原料を種々異なる化学および／または物理特性を有する複数のフラクション（各フラクションは精油所に存在しうるプロセス流の代表である）を生成させるべく処理する。
【００１９】
「代表」と言う用語は、精油所プロセスにつき典型的なプロセス流（供給原料）として少なくとも幾つかの同様な化学的および／または物理的性質を有することを意味する。すなわち、各フラクションは精油所プロセスに対する供給原料として精油所に存在しうるプロセス流の代表である。
【００２０】
たとえば複数のフラクションは、精油所における同等なプロセスに対するプロセス流につき典型的な全範囲内の複数の異なる沸点範囲を有することができる。所望の沸点範囲を有するフラクションは、適する分離手段、たとえば蒸留（たとえば大気圧または減圧蒸留）のような適する分離手段の使用により得ることができる。
【００２１】
特別の精油所プロセスに対するプロセス流（供給原料）の所望の化学および物理特性は個々の精油所配置に依存するが、典型的性質はたとえばハンドブック・オブ・ペトロリアン・リファイニング・プロセシス（第２版）に記載（ロバート  Ａ．マイヤース編集およびマックグロー・ヒル出版）されている。
【００２２】
１例において、精油所供給原料はその後に所望される複数のフラクションのそれぞれにつき１部を生成するよう分割することができ、ここで各部分は所望の性質を有する（たとえば所望の沸点範囲を有する）フラクションを生成すべく処理される。
【００２３】
代案として、精油所供給原料は最初に２もしくはそれ以上の部分を生成するよう分割することができ、各部分は所望の性質を有する部分を生成するよう処理される。これら個々の部分の１つもしくはそれ以上をその後に更に分割すると共に化学的および／または物理的に処理して、所望の（異なる）性質を有する必要数のフラクションを生成させることができる。すなわち、１５０〜２５０℃の範囲の可変沸点範囲を有するプロセス流を用いてプロセスを操作する場合、第１部分は沸点範囲１５０℃〜２５０℃のフラクションを生成させるよう処理することができ、第２部分は沸点範囲１６０℃〜２３０℃のフラクションを生成させるよう処理することができる。
【００２４】
異なる化学および／または物理特性を有する複数のフラクション（各フラクションは精油所に存在しうるプロセス流の代表である）を生成させる精油所供給原料の他の処理に加え或いは必要に応じその代案として、評価すべき精油所供給原料の処理は前記精油所供給原料を１つもしくはそれ以上の他の精油所供給原料と配合する工程を含み、特に種々異なる他の精油所供給原料および／または他の精油所供給原料と初期精油所供給原料の部分とを異なる比で配合することにより種々異なる性質の複数のフラクションを生成させることを含む。配合される精油所供給原料は、典型的には３〜２０種の異なる成分（たとえば原油）のブレンドから構成することができる。
【００２５】
一般に任意適する物理的もしくは化学的処理方法を用いて、種々異なる化学および／または物理特性を有する複数のフラクション（各フラクションは精油所に存在しうるプロセス流の代表である）を得ることができる。工程（ｉｉ）にて種々異なる化学および／または物理特性を有する複数のフラクションを得るため使用する適する物理的もしくは化学的処理方法は、一般に慣用の精油所プロセスにて生じうる同等なプロセス工程の代表である。
【００２６】
たとえばミクロ蒸留カラムもしくはミクロフラクショネータ（精油所における原油蒸留ユニットを示す）を各部分につき用いて、規定の沸点範囲を有するフラクションを得ることができる。他の技術は溶剤抽出、膜処理、吸着処理および適する化学反応を包含する。適するならば触媒を含む化学反応が一般に選択され、これらは従来の精油所プロセスにて生じうる化学反応の代表である。
【００２７】
各技術の組合せは、たとえばミクロ蒸留に続く化学反応を必要として、原油蒸留に続く精油所プロセスにて生じる前記フラクションの従来の処理を示す。たとえば、１つもしくはそれ以上の部分を分画により生成させ次いで水添処理（必要に応じ各部分につき異なるプロセス条件を用いる）し、精油所におけるヒドロトリーターから得られる流れを示すことができる（および典型的には次いで触媒リフォーミングプロセスに供給することもできる）。
【００２８】
精油所供給原料の化学処理は更に添加処理（たとえば脱塩添加物の添加、腐食不働化添加物（典型的には蒸留カラムにて使用）、汚染防止剤（各種の精油所プロセスにて使用）をも含む。
【００２９】
工程（ｉｉ）における処理条件は一般に依存性プロセスであり、このプロセスが触媒プロセスである場合は更に触媒依存性とすることもできる。プロセス条件はたとえば温度、接触時間／空間速度および／または特定反応体の全圧力もしくは分圧を包含し、たとえば水素分圧は水添処理にて可変である。
【００３０】
工程（ｉｉ）における処理は、精油所供給原料を複数の部分に分割し次いで各部分を処理して、精油所にて原油蒸留ユニットから常法で得られる適するフラクションにつき典型的な沸点範囲を有するフラクションを生成させる。たとえば工程（ｉｉ）のおける処理は精油所供給原料を複数の部分に分割し次いで各部分を処理して１５０〜２５０℃の範囲（この範囲は原油のケロシンフラクションにつき典型的な範囲である）または２００℃〜３５０℃の範囲（これは原油のガス油フラクションの典型的範囲である）における沸点範囲を有するフラクションを生成させることからなっている。
【００３１】
これら範囲は重なることに注目すべきである。これはフラクションの沸点範囲を特定のその後のプロセスにつき全ての可能な範囲内で変化させる有用性の１例である。
【００３２】
分割は任意適する手段により達成することができる。たとえば分割は、１つもしくはそれ以上の自動化された注射器を用いて複数の部分を与えることにより、バッチ方式で行うことができる。代案として、一連のマイクロフローコントローラもしくはマイクロバルブを用いることもでき、ここで各部分につき流動は一般に連続的であるが、弁もしくはコントローラを用いて開始および停止させ、かつ必要に応じ変化させることもできる。更なる代案として、複数の邪魔板もしくは他の流動調節手段（たとえばプレートにおけるオリフィス）を用いることもでき、ここで流動は各部分につき独立して遮断もしくは変化し得ないが、複数の部分にわたり均一な流動分布を与えることができる。
【００３３】
１具体例において１つの部分を加熱装置に戴置し、次いで熱を加えて試料温度を高めると共に所望範囲の間で沸騰するフラクションを集め、これにはたとえば適する弁を使用して正確な沸騰範囲のフラクションを集め、次いでこれを冷却して前記フラクションを凝縮させる。加熱装置は加熱ミクロオシレータとすることができる（米国特許第５６６１２３３号明細書に記載）。
【００３４】
他の具体例においては各部分を少なくとも３つのセクションからなる包封チャンネルに戴置することができ、各セクシヨンは液体試料を通過させ得ないがガス試料を通過させうる弁または他の適するバリヤにより分離することができる。かくして、各部分をチャンネルの第１セクションに戴置すると共に第１セクションを所望の沸点範囲の上限沸点までたとえば局部加熱を与える加熱レーザーを用いて加熱し、第２部分は周囲温度（またはそれ以下）に維持して、上限沸点より低い沸点を有する全ての物質を蒸発させると共に第１セクションから第２セクションまで移動させ、ここで凝縮させることができる。
【００３５】
次いで第２セクションを所望範囲の下限沸点までたとえば局部加熱を与える加熱レーザーを使用して加熱すると共に、第３セクションを周囲温度（またはそれ以下）に維持し、下限沸点より低い沸点を有する材料の全てを蒸発させ、第２セクションから第３セクションまで移動させ、第２セクションには所望の沸点範囲を有するフラクションを残す。
【００３６】
代案として、第２セクションを全体にわたり下限沸点に維持して所望範囲より高い範囲の沸点を有する材料を第１セクションに残し、所望範囲の沸点を有する材料をセクション２にて集めると共に、所望の範囲の沸点より低い沸点を有する材料をセクション３にて集める。
【００３７】
それぞれ少なくとも３つのセクションを有する複数のチャンネルを回転円盤型の分離装置に設けることもできる（たとえば国際公開第０１／８７４８５号パンフレットもしくは国際公開第２００４／５８４０６号パンフレットに記載）。
【００３８】
一般、に工程（ｉｉ）で生成される複数のフラクションは少なくとも７つのこの種のフラクション、たとえば少なくとも２０のこの種のフラクションで構成される。複数のフラクションを生成させる精油所供給原料の処理は所望ならば少なくとも部分的に（たとえば主として、好ましくは全体的に）並列で行いうることが本発明の特徴であり、ここで並列とは複数のフラクションを並行して生成させ、従って任意特定の場合に分析すべく入手しうることを意味する。生成される種々異なる化学および／または物理特性を有する複数のフラクションに加え、再現性を確保／点検する目的で幾つかの「同一」のフラクションを生成させることもできる（次いで分析することができる）。
【００３９】
工程（ｉｉｉ）においては複数のフラクションのそれぞれを分析（特性化）して、各フラクションの１つもしくはそれ以上の化学および／または物理特性を決定する。本発明の方法の工程（ｉｉｉ）にて分析することが望ましい各フラクションの化学および／または物理特性は一般に流れ依存性であり、密度、比重、全酸価（ＴＡＮ）、全塩基数（ＴＢＮ）、低温流動特性（たとえば注入点、凍結点および濁り点）、粘度、炭水化物スペシエーション（たとえば芳香族含有量）、硫黄含有量、硫黄化合物スペシエーション、窒素含有量、ニッケル化合物含有量、酸スペシエーション（たとえばスルフィド酸、ナフテン酸およびそのサブジビジョン）、アスファルト含有量、炭素含有量、金属含有量（たとえばニッケル、バナジウム、鉄、カルシウム）、ミクロ炭素残渣、塩化物（含有量および種類有機／無機）およびその組合せを包含する。
【００４０】
任意適する分析技術を用いることができる。各分析は任意適する方法により、たとえば急速ＧＣ、２ＤＧＣもしくは質量スペクトロスコピーのような迅速分析用具を用いて行うことができる。少なくとも１つの化学的もしくは物理的性質の分析は好適には主として並列で、たとえば種々異なるフラクションにつき操作する２つもしくはそれ以上の分析装置を使用して行われる。好ましくは各フラクションを全並列方式で少なくとも１つの性質につき分析し、全並列式とは各フラクションをその性質につき同時に分析することを意味する。たとえば別途の分析装置（たとえばミクロ−ＧＣ）を各フラクションの分析につき設けることができる。使用しうる他の種類の並列分析はマルチチャンネルもしくはプレート系液体クロマトグラフィーおよび／またはプレート系電気泳動を包含し、多数試料を単一プレートにて並列で分析することができる。化学物質をプレートにて同定することができ、これには構造的または機能的に特異的な化学染料または化学肉眼化（たとえば照射）剤を使用する。更にミクロ流動技術を用いて処理量を増大させることもできる。異なる性質につきフラクションの複数分析は迅速な直列方式で行いうることが了解されよう。すなわち第１特性については一連の並列分析を行い、次いで第２特性については並列分析のセットを行う。代案として、種々異なる性質の分析を含め、全ての分析を全体的に並列で行うこともできる。工程（ｉｉｉ）の分析はこの方法の工程（ｉ）および（ｉｉ）からの試料の処理量にマッチしうるような速度で行うべきである。好ましくは、分析されるフラクションの性質は１つもしくはそれ以上の化学特性を包含する。化学特性はフラクションの    価値に顕著な影響を及ぼし、かつたとえばその後に触媒されおよび触媒されない精油所プロセスを含め供給しうるその後のプロセスに対しおよび精油所のプロセス操作性（腐食もしくは汚染）に対し潜在的な衝撃を及ぼしうる。
【００４１】
典型的な触媒精油所プロセスはたとえば水添処理、選択的水添処理、異性化、芳香族飽和、水添異性化、ヒドロクラッキング、水素化、触媒熱分解、コンビ熱分解、リフォーミング、イソ脱蝋、スイートニング（たとえばメロックス・プロセス）、脱アルキル化、アルキル交換、エーテル化、ＯＡＴＳ、接触脱水素化（たとえばオレフレックス・プロセス）、Ｃ３もしくはＣ４オレフィン二量化（たとえばジメルソール・プロセス）、ＭＴＢＥ、Ｉｓａｌ、アルキル化およびオクトゲインを包含する。
【００４２】
精油所における典型的な非触媒型プロセスはたとえば原油脱塩、原油蒸留、減圧蒸留、膜抽出、溶剤抽出、熱分解（たとえばビスブレーキング）、コーキング、コークス焼成、ビチューメン吹込み、およびガス化を包含する。
【００４３】
１具体例において、本発明の方法における工程（ｉｉ）および（ｉｉｉ）の処理および分析は複数のフラクションを与えるのに適する処理工程のアレイ、たとえばブレンダーのアレイおよび／またはミクロフラクショネータのアレイ、並びに適する分析装置のアレイを各フラクションのそれぞれの分析につき用いて行われる。アレイは、たとえばシリコンウェファー上のミクロ加工アレイとすることができる。
【００４４】
本発明の方法による評価は、本発明の工程（ｉｉ）および（ｉｉｉ）を反復する更なる実験を行うことにより増進することができる。すなわち、一方の複数のフラクションにつき精油所供給原料を評価すると共に、同じ初期供給原料（ただし僅かに異なる方式で処理されている）の１つもしくはそれ以上の更なる複数のフラクションにつき工程（ｉｉ）および（ｉｉｉ）を反復することにより全体的評価を増進させることができる。たとえば第１の複数のフラクションはそれぞれ種々異なる各成分の比にて配合されているが各フラクションを処理して同じ沸点範囲を有するような複数のブレンドとすることができ、第２の複数のフラクションは同じ各配合比を有するが異なる沸点範囲を有するよう処理されている各フラクションから構成することができる。更なる例として、工程（ｉｉ）にて各フラクションを生成した任意の化学反応のプロセス条件も経時的に変化させることができる。これは多くの変数を急速かつ制御してスクリーニングすることを可能にし、更に精油所プロセスにおける各フラクションにつき最適プロセス条件を決定することを可能にする。
【００４５】
精油所はたとえば蒸留カラムのような操作を所定範囲内で変化させて供給原料の特定カットにつき種々異なる温度範囲を選択する能力を有するので、これは本発明の方法により精油所における蒸留カラムのための最高操作条件につき情報を他の供給原料処理（たとえば配合比）の関数として与えることを可能にする。このようにして相乗性を確認することができる。
【００４６】
好ましくは本発明の方法は連続方式で行われ、連続方式とは工程（ｉｉ）における前記精油所プロセスの典型的プロセス流の代表である複数のフラクションを生成する処理、および工程（ｉｉｉ）における前記フラクションの分析を、バッチ式でなく一体的かつ連続的に行うことを意味する。すなわち、工程（ｉｉ）の処理は精油所供給原料を各処理工程に連続供給して連続プロセス流として複数のフラクションを生成させ、これらをその後に工程（ｉｉｉ）にて分析することからなっている。これは、一般に精油所にて極く近隣にて生ずる各プロセスを示し、一般にバッチ試験で行われる典型的原油分析試験とは異なる。本発明を連続式で行う場合、複数のフラクションにつき或る種の性質を連続的または半連続的に変化させ、たとえば種々異なる配合比または工程（ｉｉ）における分画温度範囲の作用を見出すことも可能である。
【００４７】
本発明の方法は、種々異なる精油所供給原料およびそのブレンドにつき必要に応じ反復することができる。
【００４８】
本発明の方法は、各フラクションの種々異なる物理および／または化学特性の分析につき必要に応じ反復することができる。すなわち、各フラクションを分析してたとえば金属含有量を測定することができ、その後にプロセスを反復し（または「連続し」）、分析を変化させてたとえば各フラクションの硫黄含有量の測定を可能にする。代案として或いは追加的に、種々異なる技術および／または異なる性質に関する分析は前記各フラクション（またはその各部分）につき並列で行うことができる。
【００４９】
本発明の方法は、多くの異なる精油所プロセス流に別々に適用することができる。すなわち原油蒸留ユニットからのものの代表であるプロセス流を生成かつ分析するため、並びにその後に（ガス油フラクション）および処理および分析工程のための１つもしくはそれ以上のアレイをヒドロファイニングするための処理および分析工程の１つもしくはそれ以上のアレイを生成および分析する分析工程およびその後の接触リフォーミングおよび／または異性化など所要に応じ得るための処理および分析工程を有することが適している。
【００５０】
代案として、プロセス流の評価は「結合」させることができる。すなわち、更なる具体例において本発明の方法は、２つもしくはそれ以上の複数の異なるプロセス流の分析により精油所供給原料を評価すべく適用することができる。
【００５１】
本発明のこの実施態様の第一面において精油所供給原料は、精油所にて「直列」で生成されるプロセス流の生成および分析により評価することもできる。すなわち、本発明の方法による工程（ｉｉｉ）にて複数のフラクションを分析した後、複数のフラクションの１つもしくはそれ以上（典型的には全部）を更に処理して、それぞれ精油所に存在しうる異なる（すなわちその後の）プロセス流の代表である１つもしくはそれ以上の更なる流れを生成させることができる。たとえば本発明の方法の工程（ｉｉ）においては、ヒドロトリーターへの供給のための原油蒸留ユニットより得られるものに典型的な性質（たとえばナフサ範囲における沸点範囲）を有するフラクションを生成させることができ、これら流れを工程（ｉｉｉ）にて分析することができる。これに続き各フラクションを更に処理し、たとえば実際に水添処理してヒドロトリーターから得られるものに典型的な性質を有する流れを生成させて、接触リフォーミングおよび／または異性化プロセスに供給し、次いで再分析することができる。
【００５２】
本発明のこの具体例の第二面において、精油所供給原料は精油所にて「並列」に生成されるプロセス流の生成および分析により評価することができる。たとえば、精油所供給原料を処理してそれぞれ第１プロセス流の代表である複数のフラクションおよびそれぞれ第２プロセス流の代表である複数のフラクションを生成させることができる。この局面の１例は、精油所供給原料をケロシンフラクションの代表である第１の複数フラクションに原油蒸留ユニットから分離し（これはその後にスイートニングプロセスに移送される）および原油蒸留ユニットからのガス油フラクションの代表である第２の複数のフラクションに分離し（これはその後にヒドロファイニングプロセスに移送される）、これらのそれぞれを分析することからなっている。
【００５３】
これら第一および第二の各面の組合せを用いて、精油所における多くのプロセスを同時に評価することができる。この具体例は、１つの変数（処理工程）における第１複数のフラクションの１つにおける性質を変化させる変化の効果を、第２の複数のフラクションにおける１つの性質の変化に対し同時に評価しうると言う利点を有する。たとえば少なくとも５個のプロセス流（たとえば１０個もしくはそれ以上）のような顕著な個数をこの「結合」方式で評価して、特定供給原料につき最適精油所供配置の情報を与えることができる。これは、適するマイクロ加工アレイにおける任意所要の処理工程を設けて達成することができる。
【００５４】
本発明の好適具体例において、工程（ｉｉｉ）の分析が行われた後、適する精油所プロセスモデルを適用してフラクション／プロセス流のその後の処理に対する或いは精油所供給原料の全体的処理に対する各フラクションの化学および／または物理特性の衝撃を決定する。適する精油所モデルは当業者に知られており、たとえば供給原料および生成物の評価のための線状プログラム、たとえば個々のプロセスユニット最適化および精油所ワイドな最適化のようなプロセス最適化モデルおよび／またはリスク系モデルを包含して、プロセス流もしくは精油所供給原料の処理衝撃を一般に評価することができる。
【００５５】
本発明の方法は、精油所プロセス流に対する精油所供給原料の作用につき多量のデータを発生する。更なる具体例において、このデータを用いて１つもしくはそれ以上の精油所プロセス（個々の或いは「結合した」プロセス）につきプロセスモデルを展開し、更新し、維持しかつ／または証明することができる。たとえば、多量のデータをパイロットプラントのパラメータ試験からよりも広範なパラメータセットで迅速に生成させることができ、更なる発生データを用いて広範なパラメータスペースにつきプロセスモデルの連続更新および再生を与えることができる（たとえば種々異なる触媒および種々異なる組成を添加する）。
【００５６】
モデル化または他の実験設計技術を用いて、１つもしくはそれ以上の精油所供給原料（ブレンドを含む）につき可変プロセス条件のセットを発生させることができ、これは１つもしくはそれ以上のプロセスモデルの展開、更新もしくは証明につき評価することが望ましく、更に本発明のプロセスを特定的に用いてたとえば精油所供給原料から規定のプロセス条件の下で生成物の収率および品質のような所要のプロセスモデルの所要のデータを発生させることができる。
【００５７】
本発明の更なる実施態様においては多成分流体の価値を決定する方法が提供され、この方法は
（ｉ）複数の多成分流体からなるライブラリーを提供し；
（ｉｉ）前記多成分流体のそれぞれを、１週間当たり少なくとも５０個のマルチ成分流体という速度にて、少なくとも２つの成分に分離し；
（ｉｉｉ）前記少なくとも２つの成分のそれぞれを１つもしくはそれ以上の化学および／または物理特性につき分析し；
（ｉｖ）前記ライブラリーにおける前記複数の多成分流体のそれぞれにつき価値を決定することを特徴とする。
【００５８】
マルチ成分流体の価値は多数の種々異なる項目の１つもしくはそれ以上とすることができ、これらは（ｉ）特定工業での多成分流体における各成分の価格、（ｉｉ）多成分流体の最適処理性、（ｉｉｉ）多成分流体を収容するタイプもしくは特定処理ユニットもしくは施設、（ｉｖ）多成分流体を処理する装置の型もしくは特定配置、（ｖ）多成分流体を処理する処理工程の型もしくは特定配置、および／または（ｖｉ）多成分流体（たとえば他の多成分流体）の型もしくは特定配合材料を包含する。
【００５９】
多成分流体のアレイもしくはライブラリーを設けることができる。流体の２つもしくはそれ以上の成分を高処理システムまたは方法で分離して、２つもしくはそれ以上の成分のアレイもしくはライブラリーを形成させる。これら成分のアレイもしくはライブラリーを次いで高処理システムもしくは方法で試験して組成、特徴もしくは性質を決定する。これら決定を使用して、工業における多成分流体の価値を決定する。
【００６０】
高処理分離および試験は並列で、或いは同時的におよび／または急速な直列式に行うことができる。全体的作業流の処理量が重要であり、価値が決定される工業に依存して変化する単位時間当たりの多成分流体の速度もしくは試料で行うことが重要である。たとえば石油工業において原油分離および成分分析は少なくとも５０種、たとえば少なくとも２５０種、好ましくは２０００種の異なる原油マルチ成分試料を７日間の速度にて行うことができる。多成分流体はたとえば原油、他の精油所供給原料、医薬などの材料を包含する。
【００６１】
価値決定は、マルチ成分流体の非試料量の購入前もしくは後に行いうると共に価値決定は価値抽出を最適化することを支援する。
【００６２】
好適具体例において、一般に試料における酸のスペシースを決定する酸スベシエーションの測定については、本発明の方法は４工程からなっている：（１）試料作成：酸を多成分試料から液−液抽出における他の極性物質と一緒に有機および／または無機塩基と有機溶剤と水とのブレンドを用いて抽出する。代案として、シリカ充填９６穴ミクロタイタープレートに基づく簡単な固相抽出プロセスを極性物質の抽出につきフラッシュもしくは正常相のクロマトグラフィーの条件下で使用することができ；（２）一次元分離および第１性質決定；酸強度分離は酸のための選択性を有するイオン交換樹脂で満たされた９６穴固相抽出プレートの選択的保持により行い、次いで多工程溶出を増加酸度（水性混合物における種々異なる酸の濃度）の数種のバッファーを用いて行い、これは酸強度により多成分試料における酸成分を分離すると共に、反復多工程溶出は酸強度につき情報を与え（たとえば溶出の程度もしくは溶出の時間）、これを処理システムに入力してマッピングもしくはレイアウトし；（３）二次元分離および第２性質決定：次いで一次元からの各溶出液（すなわち成分）を急速な直列もしくは並列の高性能液体クロマトグラフィー（ＨＰＬＣ）  ＵＶ−Ｖｉｓ検出（たとえば２００〜３８０ｎｍ吸光度）を有する疎水性により分離し、その際移動相（たとえば水／テトラヒドロフラン／シクロヘキサン）として用いられる各溶液の混合物での逆相カラムを使用；（４）配置もしくはマッピングおよび試料特性化：バックグランドを引算した後、多成分試料につき個々の成分（たとえば固相抽出溶出物）に対応するＨＰＬＣ追跡を２つの酸分布マップ（レイアウト）まで再び組み合わせ、ここでｘ−ｙ−ｚの縦軸はＨＰＬＣ保持時間で作成し、固相抽出溶出程度およびＨＰＬＣ検出信号、並びに必要に応じＨＰＬＣ追跡は数種の帯域に一体化され、各ピーク面積を帯域特異性の応答因子で掛算することにより酸豊富値（ｍｇＫＯＨ／ｇ当量）まで変換する。
【００６３】
以下、本発明のこの具体例の例を示す。
【００６４】
実施例
この実施例は原油（これは任意の原油とすることができる）のフラクションを使用する。９６個の原油分画試料のアレイを、９６穴のガラスライニングされたガラス瓶を有する基体に設ける。
【００６５】
液−液抽出（ＬＬＥ）
各試料をそれぞれ約５００ｍｇを標的とし、それぞれ手動秤量またはボーハン自動化秤量ステーションを用いて秤量する。５００ｍｇ当たり１ｍｌの炭化水素溶剤の試料を各ウェルに添加すると共に、アレイをシェカープレート上で充分混合する。このアレイを加熱して、固体試料が流動性となるよう確保することができる。４ｍｌの抽出溶液を各瓶に添加すると共に、抽出溶液を８０部のイソプロパノールと２０部の水における１００Ｍトリエチルアミンとで構成する。これら瓶を少なくとも１時間にわたり激しく振とうし、次いで少なくとも５分間にわたり遠心分離する。各瓶の所定量を抽出溶液の水性部分から採取する。
【００６６】
一次元分離
一次元分離は、酸につき高い親和性を持ったイオン交換樹脂を有する市販入手しうる９６穴プレートを使用した固相抽出であり、特にウォータース社からのオアシスＭＡＸ（１穴部当たり６０ｍｇのイオン交換樹脂、３０μｍの樹脂粒子寸法）にスピーディスク（登録商標）圧力プロセッサおよび３０ｐｓｉのマニホールド空気圧を取り付けて使用する。ＬＬＥ工程の水性フラクションから採取した試料の１部を各工程にて９６穴ＳＰＥプレートの各穴部に手動で並行ピペットまたは自動化液体取扱ロボットを用いて充填する。各抽出物を殆どまたは全く圧力を施さずにゆっくりＳＰＥプレートに通過させる。充填が完了した後、イソプロパノールに続きイソプロパノールと水との混液を徐々にＳＰＥに同じ条件下で通過させる。溶出を並列にて全９６穴につき行い、各段階では最も弱い酸性溶出液で開始すると共に最も強い酸性溶出液で終了する。この実施例においては４種の溶出液が存在する。第１溶出液においては０．５ｍｌの０．１７８Ｍ蟻酸を各穴部に装填すると共に、プレートにわたり約０．１ｍｌ／ｍｉｎの一定流量を維持するよう調整された圧力にて通過させる。０．５ｍｌまでの流出液を個々の９６穴ミクロタイタープレートに集めて冷却する。第２溶出液においては、０．５ｍｌの０．３５６Ｍ蟻酸を各穴部に装填すると共に、同じ流量に維持するよう調整された圧力にて通過させる。ここでも０．５ｍｌまでの流出液を個々の９６穴ミクロタイタープレートに集めて冷却する。第３溶出液においては、０．５ｍｌの０．８９０Ｍ蟻酸を各穴部に４つの等しい部分にて装填すると共に、同じ流速に維持するよう調整された圧力にて通過させる。再び０．５ｍｌまでの流出液を別個の９６穴ミクロタイタープレートに集めて冷却する。第４溶出液においては、０．５ｍｌの１．４２５Ｍ蟻酸を各穴部に４つの等しい部分にて装填すると共に、同じ流速に維持するよう調整された圧力にて通過させる。ここでも０．５ｍｌまでの流出液を別個の９６穴ミクロタイタープレートに集めて冷却する。溶出の程度を各試料に試料名をコードして記録し、溶出の程度を反映させる（たとえば演算システム解読バーコードを使用）。
【００６７】
二次元分離
アニオン交換分離からの流出液を有する４枚のプレートを、並行毛細管ＨＰＬＣ装置と関連したロボット液体取扱ロボットのプラットフォームに乗せ、これにそれぞれ８本のカラムの端部にてＵＶ  ｖｉｓ吸光度検知器を装着する。特に、エクシゼント社からの８チャンネル毛細管ＨＰＬＣエクスプレスＬＣ（登録商標）−８００を装着すると共に、ＣＴＣアナリチックス／リープ・テクノロジース社からのロボット自動試料採取装置ＨＴＳ  Ｐａｌが有用である。抽入ポートおよび各カラムにつき２つの試料ループを保持する試料弁が存在すると共に、各カラムは３．５μｍオクチル−シリカ粒子を充填した逆相カラムである。市販入手しうるソフトウェアーが抽入用のロボットを操作し、ポンピングすると共にデータを検出器から集める。濃度勾配溶出をモビル相−Ａから出発して使用すると共にモビル相−Ｂまで移動させる。モビル相−Ａは水およびＴＨＦの大半、並びに少量の２種の炭化水素溶剤を含め４成分の混合物である。モビル相−Ｂは、少量の水およびＴＨＦと２種の炭化水素溶剤の大半とを含む４成分の混合物である。
【００６８】
流出液試料のそれぞれの所定量を毛細管ＨＰＬＣカラムのモビル相に注入する。注入後、濃度勾配溶出プログラムを実行し、これはモビル相−Ａの２６μＬ／ｍｉｎの２５当量およびモビル相−Ｂの１当量で出発すると共に、これを約１５秒間保持し、次いでモビル相流速を変化させ、３７μｌ／ｍｉｎのモビル相−Ａの１当量およびモビル相−Ｂの３５当量の組成に約９０秒間変化させ、この組成を約３分間にわたり保持すると共に、次いで初期流速および組成に復帰させる。各試料には約５分間を要し、８個の試料を同時に操作して１プレート当たりに約１時間または全３８４試料につき４時間を必要とする。更に、ロボット自動サンプラーは注入ループを溶剤で満たし、各試料間を清浄すると共にカラムを清浄する。各ＨＰＬＣ分離は、２００〜３８０ｎｍの範囲におけるＵＶ−Ｖｉｓ吸光度波長にて時間追跡時間対検出器応答を発生する。
【００６９】
データ  レダクションおよびマッピング
各ＨＰＬＣ追跡につき、１０ｎｍ波長幅にて原データから抽出すると共に、５０ｎｍ波長幅にて５３０ｎｍにおける信号を用いてベースライン補正する。バックグランドプロフィルを上記一次元および二次元分離の両者を用いて作成し、これには分画原油を含まない試料を用いた。次いで、これらバックグランドプロフィルを個々の各試料追跡から抽出する。一次元からの溶出の程度を示す分画原油試料１個当たり４個のバックグランドプロフィル追跡を２つの次元マップに再構築し、ここではＨＰＬＣ溶出時間がＸ軸を形成し、ＳＰＥ溶出の程度がＹ軸を構成し、更にＨＰＬＣ検出器応答がＺ軸を形成する。バックグランド抽出された追跡を３つの溶出時間のタイプに組み込んで１帯域当たりのピーク面積を生成させる。次いで、これらピーク面積に帯域特異性応答ファクタを掛算して、各帯域当たりの酸度豊富値を分画原油試料１ｇ当たりｍｇＫＯＨの当量にて与える。各帯域の酸度豊富値（４ＳＰＥ流出液ｘ３ＨＬＰＣ溶出時間範囲）を合計して石油試料の全酸度値を与え、次いでこれをＡＳＴＭ標準により作成された原油試料のＴＡＮと比較することができる。